(57)【要約】【課題】配水管にコアを打ち込むための簡単な工具を提供する。【解決手段】所定長さの工具本体の一方の端面の同軸上に、コアの内径とほぼ同じ径の外径を有する円柱状のコア保持部を突設して管継手用コアの装着工具を構成し、該コア保持部にコアを保持して管端に挿入し、前記工具本体の他方端面を打撃してコアを管端部に装着するという手段を採用した。また、工具本体の端面形状が円形若しくは正多角形であるという手段を採用した。【選択図】図１
2010023219.tif 000002
【特許請求の範囲】
【請求項１】
所定長さの工具本体の一方の端面の同軸上に、コアの内径とほぼ同じ径の外径を有する円柱状のコア保持部を突設してなり、該コア保持部にコアを保持して管端に挿入し、前記工具本体の他方端面を打撃してコアを管端部に装着することを特徴とする管継手用コアの装着工具。
【請求項２】
工具本体の端面形状が円形である請求項１記載の管継手用コアの装着工具。
【請求項３】
工具本体の端面形状が正多角形である請求項１記載の管継手用コアの装着工具。
【発明の詳細な説明】
【技術分野】
【０００１】
この発明は、水道配水管等にメカニカル継手を接続する場合において、配水管の端面に装着するコアを簡単・確実に装着できるようにした工具に関するものである。
【背景技術】
【０００２】
水道配水管に一般的なメカニカル継手を使用する場合、シール及び抜け出しの防止のため、管端部に外周面がテーパ形状の金属製コアを装着する必要がある。その装着作業は、図３に示すように、通常、コア（Ｃ）を管（Ｐ）の内径にプラスチックハンマー（Ｈ）で打ち込むことにより行っている。同図（Ａ）は打ち込み途中の断面図、（Ｂ）は説明斜視図である。また、例えば、特許文献１の段落番号［０００２］から［０００５］に関連する記載がある。
【０００３】
【特許文献１】特開平１１−９４１５５号公報
【発明の開示】
【発明が解決しようとする課題】
【０００４】
一方、近年では、水道配水用のポリエチレン管として、高密度ポリエチレン製の配水管が利用されるようになっている。この高密度ポリエチレン製配水管は、従来の配水管に比べて、非常に硬いため、金属製コアを打ち込む作業が困難である。例えば、コアのテーパ部寸法を小さくすると作業性は良くなるが、逆にシール性と抜け出し阻止性が悪くなる。
【０００５】
また、コアは通水口径を確保するため、図３に示すように外周面がテーパー状の円筒形状になっており、コアの中心をハンマーで叩くことが出来ないため、均等に力が加わらない。そのため、コアが変形する可能性がある。さらに、均等に力が加わらないと、コア全体が管軸に対して傾くため、コアの周端面の上下左右を交互に打ち込む等の注意が必要であり、作業効率が低下すると共に、極端に傾いた場合には、管内面を傷つける要因ともなっている（同図（Ａ）参照。）。
【０００６】
本発明では、このような実情に鑑み、簡単な構成の工具を用いてコアを打ち込むようにして、作業効率や施工性を向上することを目的としたものである。
【課題を解決するための手段】
【０００７】
上記課題を解決するため、本発明は、所定長さの工具本体の一方の端面の同軸上に、コアの内径とほぼ同じ径の外径を有する円柱状のコア保持部を突設して管継手用コアの装着工具を構成し、該コア保持部にコアを保持して管端に挿入し、前記工具本体の他方端面を打撃してコアを管端部に装着するという手段を採用した。
【０００８】
このコア保持部は、その外径がコアの内径とほぼ同じであるので、コアを確実に保持すると共に、コアを同軸方向に打ち込みやすくするものである。
【０００９】
また、工具本体の端面形状が円形若しくは正多角形であるという手段を採用した。
【発明の効果】
【００１０】
上記構成の装着工具は、コアをコア保持部に嵌着し、工具本体の他方端面を打撃するようにしたので、打撃力がコアに均等に加わり、配水管端部を均等に拡開しながら前進し、該端部に装着できるものである。そのため、従来のように、コアの周端面を上下左右交互に打ち込む必要がなく、施工性が著しく向上する。また、軸が傾くことがないので、コアで管内面を傷つけることもない。
【００１１】
また、工具本体の端面形状が円形若しくは正多角形であると共に、同軸上にコア保持部を突設し、保持されるコアの周端面と工具端面が面で接触しているので、強力に打撃しても、力が均等に伝達され、コアが変形することもない優れた発明である。
【発明を実施するための最良の形態】
【００１２】
以下、本発明に係る管継手用コアの装着工具の好ましい実施形態について、図面に従って説明する。図１（Ａ）は本装着工具の全体斜視図、（Ｂ）はその使用例を示す説明図である。また、図２（Ａ）は、装着途中の断面図、（Ｂ）は装着後、継手を締結した状態の説明断面図である。
【００１３】
図において、１は、本装着工具であって、所定長さの円柱からなる工具本体１ａの一方の端面に、その直径が上記工具本体１ａの直径より小さい径の円柱状コア保持部１ｂを同軸上に突設したものである。このコア保持部１ｂの直径は、対象となるコア（Ｃ）の内径とほぼ同じ直径を有している。またその突出長さは、コア（Ｃ）の全長より僅かに短いものとする。
【００１４】
なお、上記コア保持部１ｂは、コア（Ｃ）を保持するために円柱状である必要があるが、工具本体１ａは、必ずしも円柱状である必要はない。但し、下述するように、打撃力が均等に作用するためには、コア保持部１ｂの軸と同軸の回転対称形であることが好ましく、その端面の形状は、円形若しくは正多角形であることが好ましい。
【００１５】
また、この装着工具を構成する素材は、特に限定するものではない。例えば、金属柱を切削して構成しても良く、また、硬質プラスチック等で一体に成型しても良い。但し、下述するようにハンマーでその端面を打撃するので、その衝撃に耐えうる素材であることが望ましい。
【００１６】
この装着工具１を使用する場合、コア（Ｃ）を上記コア保持部１ｂに嵌着する。このとき、コア（Ｃ）の周端面が工具本体１ａの端面と確実に接するようにする。コアの内径とコア保持部の外径がほぼ同じであるので、コア（Ｃ）は、コア保持部１ｂに確実に保持される。この状態で、図２（Ａ）に示すように、配水管（Ｈ）と軸を併せてコア（Ｃ）を保持した装着工具１を管端に挿入する。そして、工具本体１ａの他方端面をプラスチックハンマーで打撃して（図１（Ｂ）参照。）、コア（Ｃ）を管端いっぱいまで徐々に装着する。このとき、工具本体１ａの他方端面を正確に軸方向に打撃することで、コア（Ｃ）の周端面に均等に力が加わり、コア（Ｃ）は傾くことなく、管端を拡開しながら確実に装着される。
【００１７】
なお、この際注意するのは、コア（Ｃ）の装着前に、配水管（Ｈ）には、予めメカニカル継手の袋ナット（Ｎ）及びチャックリング（Ｒ）を嵌挿しておくことである。これは、コア（Ｃ）の装着により管端径が拡径されているので、後から袋ナット（Ｎ）やチャックリング（Ｒ）を嵌挿することが困難だからである。
【００１８】
上述のようにしてコア（Ｃ）を装着した配水管（Ｐ）を、継手本体（Ｊ）に挿入し、袋ナット（Ｎ）を締め付ければ、その内側面でチャックリング（Ｒ）が縮径し、コア（Ｃ）とチャックリング（Ｒ）の間の管端を確実に挟持し、容易に抜けない継手が完成する（図２（Ｂ）参照。）。
【００１９】
このように、コアを装着工具に嵌着し、その端面中心をハンマーで打撃するようにしたので、打撃力がコアに均等に加わり装着が容易となると同時に、コアの周端面を上下左右交互に打ち込む必要もなく、施工性が向上し、さらに管内面を傷つけることもなくなる。また、コアの周端面と工具の端面が面で接触しているので、強力に打撃しても、コアに均等に力が加わるので、コアに変形を生じることがほとんどない。
【図面の簡単な説明】
【００２０】
【図１】（Ａ）は本発明に係る装着工具の全体斜視図、（Ｂ）はその使用例を示す説明図である。
【図２】（Ａ）は、装着途中の断面図、（Ｂ）は装着後、継手を締結した状態の説明断面図である。
【図３】従来のコアを装着する場合の、（Ａ）は打ち込み途中の断面図、（Ｂ）は説明斜視図である。
【符号の説明】
【００２１】
１    装着工具
１ａ  工具本体
１ｂ  コア保持部
【図１】
2010023219.tif 000003
【図２】
2010023219.tif 000004
【図３】
2010023219.tif 000005